(57)【要約】【課題】ポンプダウン時の確実な冷媒回収と、部品数の削減によるコストダウンとを図ることができる冷凍装置を提供する。【解決手段】圧縮機１と、凝縮器２と、膨張弁３と、蒸発器４とを備える。制御部３０は、ポンプダウン時に、圧縮機１を回転させながら膨張弁３を除々に閉じる。【選択図】図１
2010048436.tif 000002
【特許請求の範囲】
【請求項１】
圧縮機（１）と、
凝縮器（２）と、
膨張弁（３）と、
蒸発器（４）と
を備え、
上記圧縮機（１）、上記凝縮器（２）、上記膨張弁（３）および上記蒸発器（４）は、順に、冷媒流路（１０）を介して、環状に接続され、
ポンプダウン時に、上記圧縮機（１）を回転させながら上記膨張弁（３）を除々に閉じる制御部（３０）を有することを特徴とする冷凍装置。
【請求項２】
請求項１に記載の冷凍装置において、
上記制御部（３０）は、上記圧縮機（１）の吸入側の上記冷媒流路（１０）の圧力が設定値に達したときに、上記膨張弁（３）の閉動作を停止することを特徴とする冷凍装置。
【請求項３】
請求項２に記載の冷凍装置において、
上記制御部（３０）は、上記圧縮機（１）の吐出側の上記冷媒流路（１０）の温度が設定値を超えたときに、上記膨張弁（３）の閉動作を再開することを特徴とする冷凍装置。
【請求項４】
請求項１から３の何れか一つに記載の冷凍装置において、
上記制御部（３０）は、上記圧縮機（１）の吐出側の上記冷媒流路（１０）の温度が予め定められた限界値を超えたときに、上記圧縮機（１）の回転を停止することを特徴とする冷凍装置。
【請求項５】
請求項１から３の何れか一つに記載の冷凍装置において、
上記制御部（３０）は、上記圧縮機（１）の吸入側の上記冷媒流路（１０）の圧力が予め定められた限界値を下回ったときに、上記圧縮機（１）の回転を停止することを特徴とする冷凍装置。
【発明の詳細な説明】
【技術分野】
【０００１】
この発明は、例えば、空冷ヒートポンプチラー等の冷凍装置に関する。
【背景技術】
【０００２】
従来、冷凍装置としては、圧縮機と、凝縮器と、膨張弁と、蒸発器とを備えたものがある（特開２００３−１６１５３５号公報：特許文献１参照）。圧縮機、凝縮器、膨張弁および蒸発器は、順に、冷媒流路を介して、環状に接続されている。
【０００３】
凝縮器と膨張弁との間には、ポンプダウン用の手動弁が設けられている。ポンプダウン時に、この手動弁を閉じてから、冷媒回路の冷媒を凝縮器にて回収していた。
【特許文献１】特開２００３−１６１５３５号公報
【発明の開示】
【発明が解決しようとする課題】
【０００４】
しかしながら、上記従来の冷凍装置では、ポンプダウン時に、この手動弁を閉じてから、冷媒回路の冷媒を凝縮器にて回収していたので、凝縮器を除く冷媒回路に冷媒が残って、冷媒を確実に回収できない問題があった。また、ポンプダウン用の手動弁が必要であり、部品数が増大し、コスト高となる問題があった。
【０００５】
そこで、この発明の課題は、ポンプダウン時の確実な冷媒回収と、部品数の削減によるコストダウンとを図ることができる冷凍装置を提供することにある。
【課題を解決するための手段】
【０００６】
上記課題を解決するため、この発明の冷凍装置は、
圧縮機と、
凝縮器と、
膨張弁と、
蒸発器と
を備え、
上記圧縮機、上記凝縮器、上記膨張弁および上記蒸発器は、順に、冷媒流路を介して、環状に接続され、
ポンプダウン時に、上記圧縮機を回転させながら上記膨張弁を除々に閉じる制御部を有することを特徴としている。
【０００７】
ここで、「ポンプダウン」とは、冷媒回路の冷媒を凝縮器に回収することをいい、冷凍装置の修理や移設の際に行う。
【０００８】
この発明の冷凍装置によれば、ポンプダウン時に、上記圧縮機を回転させながら上記膨張弁を除々に閉じる制御部を有するので、ポンプダウン時に、冷媒を流しながら回収するため、多くの冷媒を回収できる。また、上記膨張弁をポンプダウン時に用いることで、ポンプダウン用手動弁を不要とし、部品数を削減できる。
【０００９】
したがって、ポンプダウン時の確実な冷媒回収と、部品数の削減によるコストダウンとを図ることができる。
【００１０】
また、一実施形態の冷凍装置では、上記制御部は、上記圧縮機の吸入側の上記冷媒流路の圧力が設定値に達したときに、上記膨張弁の閉動作を停止する。
【００１１】
ここで、「冷媒流路の圧力の設定値」とは、冷凍サイクル可能な量の冷媒が流れているときの冷媒流路の圧力をいう。
【００１２】
この実施形態の冷凍装置によれば、上記制御部は、上記圧縮機の吸入側の上記冷媒流路の圧力が設定値に達したときに、上記膨張弁の閉動作を停止するので、ポンプダウン時に、上記圧縮機の吸入側の上記冷媒流路の圧力を設定値に保持できる。つまり、冷媒を確実に流しつつ、冷媒を回収できて、一層多くの冷媒を回収できる。
【００１３】
また、一実施形態の冷凍装置では、上記制御部は、上記圧縮機の吐出側の上記冷媒流路の温度が設定値を超えたときに、上記膨張弁の閉動作を再開する。
【００１４】
ここで、「冷媒流路の温度の設定値」とは、冷凍サイクル可能な量の冷媒が流れているときの冷媒流路の温度をいう。
【００１５】
この実施形態の冷凍装置によれば、上記制御部は、上記圧縮機の吐出側の上記冷媒流路の温度が設定値を超えたときに、上記膨張弁の閉動作を再開するので、上記圧縮機から冷媒が吐出されることを確認してから、上記膨張弁を再度除々に閉じる。したがって、一層多くの冷媒を回収できる。
【００１６】
また、一実施形態の冷凍装置では、上記制御部は、上記圧縮機の吐出側の上記冷媒流路の温度が予め定められた限界値を超えたときに、上記圧縮機の回転を停止する。
【００１７】
ここで、「冷媒流路の温度の限界値」とは、圧縮機から吐出される冷媒がなくなったときの冷媒流路の温度をいう。
【００１８】
この実施形態の冷凍装置によれば、上記制御部は、上記圧縮機の吐出側の上記冷媒流路の温度が予め定められた限界値を超えたときに、上記圧縮機の回転を停止するので、上記圧縮機から冷媒が吐出されないことを確認してから、上記圧縮機の回転を停止する。したがって、上記圧縮機に不要なストレスを与えずに、冷媒を回収できる。
【００１９】
また、一実施形態の冷凍装置では、上記制御部は、上記圧縮機の吸入側の上記冷媒流路の圧力が予め定められた限界値を下回ったときに、上記圧縮機の回転を停止する。
【００２０】
ここで、「冷媒流路の圧力の限界値」とは、圧縮機から吐出される冷媒がなくなったときの冷媒流路の圧力をいう。
【００２１】
この実施形態の冷凍装置によれば、上記制御部は、上記圧縮機の吸入側の上記冷媒流路の圧力が予め定められた限界値を下回ったときに、上記圧縮機の回転を停止するので、上記圧縮機から冷媒が吐出されないことを確認してから、上記圧縮機の回転を停止する。したがって、上記圧縮機に不要なストレスを与えずに、冷媒を回収できる。
【発明の効果】
【００２２】
この発明の冷凍装置によれば、ポンプダウン時に、上記圧縮機を回転させながら上記膨張弁を除々に閉じる制御部を有するので、ポンプダウン時の確実な冷媒回収と、部品数の削減によるコストダウンとを図ることができる。
【発明を実施するための最良の形態】
【００２３】
以下、この発明を図示の実施の形態により詳細に説明する。
【００２４】
図１は、この発明の冷凍装置の一実施形態である簡略構成図を示している。この冷凍装置は、圧縮機１と、凝縮器２と、電子膨張弁３と、蒸発器４とを備えている。
【００２５】
圧縮機１、凝縮器２、膨張弁３および蒸発器４は、順に、（配管等の）冷媒流路１０を介して、環状に接続されている。
【００２６】
凝縮器２には、ファン５が設けられ、ファン５により送られた空気と冷媒流路１０を流れる冷媒との熱交換を行う。
【００２７】
蒸発器４には、（配管等の）水流路１１が設けられ、この水流路１１を流れる水と冷媒流路１０を流れる冷媒との熱交換を行う。
【００２８】
この冷凍装置の冷媒流れを説明すると、矢印に示すように、圧縮機１で圧縮された冷媒は、順に、凝縮器２、膨張弁３、蒸発器４を通って、圧縮機１へ戻ってくる。このとき、凝縮器２では、空気が冷媒により暖められ、蒸発器４では、水が冷媒により冷やされる。
【００２９】
圧縮機１の吸入側の冷媒流路１０には、圧力センサ２１が設けられ、圧縮機１の低圧側の冷媒流路１０の圧力を計測する。
【００３０】
圧縮機１の吐出側の冷媒流路１０には、温度センサ２２が設けられ、圧縮機１の高圧側の冷媒流路１０の温度を計測する。
【００３１】
圧力センサ２１および温度センサ２２の出力値に基づいて膨張弁３を制御する制御部３０が設けられている。制御部３０には、操作パネル３１が設けられている。
【００３２】
制御部３０は、ポンプダウン時に、操作パネル３１からの指令により、圧縮機１を回転させながら膨張弁３を除々に閉じる。
【００３３】
ここで、「ポンプダウン」とは、冷媒回路の冷媒を凝縮器２に回収することをいい、冷凍装置の修理や移設の際に行う。
【００３４】
制御部３０は、圧力センサ２１の出力（圧縮機１の低圧側の冷媒流路１０の圧力）が設定値に達したときに、膨張弁３の閉動作を停止する一方、温度センサ２２の出力（圧縮機１の高圧側の冷媒流路１０の温度）が設定値を超えたときに、膨張弁３の閉動作を再開する。
【００３５】
ここで、「冷媒流路１０の圧力の設定値」とは、冷凍サイクル可能な量の冷媒が流れているときの冷媒流路１０の圧力をいう。「冷媒流路１０の温度の設定値」とは、冷凍サイクル可能な量の冷媒が流れているときの冷媒流路１０の温度をいう。
【００３６】
制御部３０は、圧縮機１の吐出側の冷媒流路１０の温度が予め定められた限界値を超えたときに、圧縮機１の回転を停止する。ここで、「冷媒流路１０の温度の限界値」とは、圧縮機１から吐出される冷媒がなくなったときの冷媒流路１０の温度をいう。
【００３７】
なお、制御部３０は、圧縮機１の吸入側の冷媒流路１０の圧力が予め定められた限界値を下回ったときに、圧縮機１の回転を停止するようにしてもよい。ここで、「冷媒流路１０の圧力の限界値」とは、圧縮機１から吐出される冷媒がなくなったときの冷媒流路１０の圧力をいう。
【００３８】
上記構成の冷凍装置によれば、ポンプダウン時に、圧縮機１を回転させながら膨張弁３を除々に閉じる制御部３０を有するので、ポンプダウン時に、冷媒を流しながら回収するため、多くの冷媒を回収できる。特に、オゾン層破壊防止法の観点から、冷媒としてＨＦＣ等の非共沸冷媒を用いる場合に、この冷媒を確実に回収できて、環境に配慮したものとなる。
【００３９】
また、膨張弁３を、本来の減圧機能に加えて、ポンプダウン時に用いることで、ポンプダウン用手動弁を不要とし、部品数を削減できる。また、手動弁を用いることがないので、ポンプダウンの作業が容易となる。
【００４０】
したがって、ポンプダウン時の確実な冷媒回収と、部品数の削減によるコストダウンとを図ることができる。
【００４１】
また、制御部３０は、圧縮機１の吸入側の冷媒流路１０の圧力が設定値に達したときに、膨張弁３の閉動作を停止するので、ポンプダウン時に、圧縮機１の吸入側の冷媒流路１０の圧力を設定値に保持できる。つまり、冷媒を確実に流しつつ、冷媒を回収できて、一層多くの冷媒を回収できる。
【００４２】
また、制御部３０は、圧縮機１の吐出側の冷媒流路１０の温度が設定値を超えたときに、膨張弁３の閉動作を再開するので、圧縮機１から冷媒が吐出されることを確認してから、膨張弁３を再度除々に閉じる。したがって、一層多くの冷媒を回収できる。
【００４３】
また、制御部３０は、圧縮機１の吐出側の冷媒流路１０の温度が予め定められた限界値を超えたときに、圧縮機１の回転を停止するので、圧縮機１から冷媒が吐出されないことを確認してから、圧縮機１の回転を停止する。したがって、圧縮機１に不要なストレスを与えずに、冷媒を回収できる。
【００４４】
また、制御部３０は、圧縮機１の吸入側の冷媒流路１０の圧力が予め定められた限界値を下回ったときに、圧縮機１の回転を停止するようにしてもよく、圧縮機１から冷媒が吐出されないことを確認してから、圧縮機１の回転を停止する。したがって、圧縮機１に不要なストレスを与えずに、冷媒を回収できる。
【００４５】
なお、この発明は上述の実施形態に限定されない。例えば、電子膨張弁３の代わりに、電磁膨張弁や電動膨張弁等の電気的駆動弁であってもよい。また、圧力センサおよび温度センサは、必須の構成でない。
【図面の簡単な説明】
【００４６】
【図１】本発明の冷凍装置の一実施形態を示す簡略構成図である。
【符号の説明】
【００４７】
１  圧縮機
２  凝縮器
３  電子膨張弁
４  蒸発器
５  ファン
１０  冷媒流路
１１  水流路
２１  圧力センサ
２２  温度センサ
３０  制御部
３１  操作パネル
【図１】
2010048436.tif 000003